(57)【要約】【課題】  高周波クロックやテーブルによる制御、またパフォーマンスの低下を生じることなく、両面印刷時の表面裏面の画像サイズを揃える画像形成装置を提供する。【解決手段】  入力される画像信号を画像処理する画像処理手段と、該画像処理手段から出力された画像信号に基づきレーザ光源を変調駆動する駆動手段と、レーザ光を像担持体に走査する走査手段と、像担持体に現像されたトナー像を転写紙に転写する転写手段と、転写紙上のトナー像を転写紙に加熱定着させる定着手段と、転写紙を給紙する給紙手段とを備えた画像形成装置において、前記定着手段は前記給紙手段と前記像担持体の間に位置し、前記給紙手段から給紙された転写紙はトナー像を転写する前に定着手段を通過することを特徴とする。【選択図】  図１
2007206506.tif 000002
【特許請求の範囲】
【請求項１】
入力される画像信号を画像処理する画像処理手段と、該画像処理手段から出力された画像信号に基づきレーザ光源を変調駆動する駆動手段と、レーザ光を像担持体に走査する走査手段と、像担持体に現像されたトナー像を転写紙に転写する転写手段と、転写紙上のトナー像を転写紙に加熱定着させる定着手段と、転写紙を給紙する給紙手段とを備えた画像形成装置において、前記定着手段は前記給紙手段と前記像担持体の間に位置し、前記給紙手段から給紙された転写紙はトナー像を転写する前に定着手段を通過することを特徴とする画像形成装置。
【発明の詳細な説明】
【技術分野】
【０００１】
本発明は、画像形成装置に関し、詳しくは両面印刷時において表裏画像サイズを揃える技術に関する。
【背景技術】
【０００２】
加熱定着してトナー像を定着させる画像形成装置では、転写紙に含まれていた水分が熱により蒸発するため、定着後は転写紙が収縮する。この収縮率は、転写紙の種類、厚さなどにより異なる。一般に転写紙の両面に画像を形成する場合には、まず転写紙の片面にトナー像を転写、加熱定着させた後、転写紙の他面にトナー像を転写し、再度加熱定着させている。従って他面、つまり裏面へトナー像を転写する際には、転写紙が収縮した状態で転写されるため、表面と裏面の画像サイズが異なってしまうという問題があった。
【０００３】
そこで、表面と裏面の画像サイズを合わせるため、表面／裏面に応じて画像の主走査／副走査の倍率補正を行う技術が知られている。これは、主走査の倍率補正を、画像処理手段により各画素に対して画素長を伸張させ、。副走査の倍率補正を、レーザ光を走査する走査手段（一般に回転多面鏡）の回転速度を変化させることにより倍率補正を行うものである。
【０００４】
【特許文献１】特開２００４−０２５８４１号公報
【発明の開示】
【発明が解決しようとする課題】
【０００５】
しかし、主走査倍率補正に関しては、ＰＬＬなど高周波クロックが必要になるとともに、転写紙の違いにより収縮率が違うため、予め数種類の転写紙収縮率情報を記録したテーブルのようなものも必要となる。また副走査倍率補正に関しては、走査手段の速度切替が必要になり、補正時の回転数に達するまでの時間及び回転安定時間によっては、印刷するパフォーマンスが極端に落ちかねない。
【０００６】
本発明の目的は、高周波クロックやテーブルによる制御、またパフォーマンスの低下を生じることなく、両面印刷時の表面裏面の画像サイズを揃える画像形成装置を提供することにある。
【課題を解決するための手段】
【０００７】
本発明は、入力される画像信号を画像処理する画像処理手段と、該画像処理手段から出力された画像信号に基づきレーザ光源を変調駆動する駆動手段と、レーザ光を像担持体に走査する走査手段と、像担持体に現像されたトナー像を転写紙に転写する転写手段と、転写紙上のトナー像を転写紙に加熱定着させる定着手段と、転写紙を給紙する給紙手段とを備えた画像形成装置において、前記定着手段は前記給紙手段と前記像担持体の間に位置し、前記給紙手段から給紙された転写紙はトナー像を転写する前に定着手段を通過することを特徴とする。
【発明の効果】
【０００８】
本発明によれば、転写紙給紙後にあらかじめ転写紙を加熱して収縮させることで、両面印刷における転写紙表面のトナー像加熱定着持の転写紙の収縮をなくし、両面印刷における転写紙表面／裏面の画像サイズを、高周波クロックやテーブルによる制御、パフォーマンスの低下を生じることなく揃えることができる。
【発明を実施するための最良の形態】
【０００９】
本発明の実施例を、図１から図４を用いて説明する。
【実施例】
【００１０】
図１に本発明の画像形成装置の形態を示す。本発明の画像形成装置は、像を形成する像担持体１０１、像担持体１０１を帯電する帯電手段１００、入力される画像信号を画像処理する画像処理手段１０２、レーザを変調駆動及び像担持体１０１上にレーザ光を走査する駆動手段及び走査手段１０３、像担持体１０１にトナーを現像する現像手段１０４、像担持体１０１のトナー像を転写紙１１０に転写する転写手段１０５、転写紙１１０上のトナーを転写紙１１０に加熱定着する定着手段１０６、転写紙１１０を給紙する給紙手段１０７、転写紙１１０を排出する排出手段１０８で構成される。
【００１１】
まず片面印刷する時の動作を、図２を用いて説明する。図中矢印が転写紙１１０の搬送ルートとなる。像担持体１０１を帯電手段１００で帯電し、画像信号を画像処理手段１０２で処理し、駆動手段及び走査手段１０３で走査されたレーザ光で露光し、像担持体１０１に潜像を形成する。現像手段１０４において像担持体１０１の潜像にトナーが現像される。一方給紙手段１０７から給紙された転写紙１１０は、定着手段１０６を通過する。このとき定着手段１０６で加熱を行い、転写紙１１０を収縮させる。そして転写手段１０５によりトナー像が転写紙１１０に転写され、転写紙１１０上に転写されたトナー像は定着手段１０６で再加熱され、排出手段１０８から排出される。
【００１２】
図３に定着手段１０６の拡大図を示す。定着手段１０６は第一ヒートロール３００、第二ヒートロール３０１、バックアップロール３０２、補助ローラ３０３で構成される。第一ヒートロール３００及び第二ヒートロール３０１は時計回りで、バックアップロール３０２は反時計回りで回転する。転写前加熱には第一ヒートロール３００を使い、転写後加熱には第二ヒートロール３０１を使う。第一ヒートロール３００の加熱温度は、十分に転写紙１１０が収縮する温度を与える。第二ヒートロール３０１の加熱温度は、十分にトナーが転写紙１１０に定着する温度を与える。
【００１３】
なお、片面印刷する時は、表面／裏面の画像サイズを気にしなくてもいいので、給紙時の加熱をやめてもよい。給紙時の加熱をしない場合、第一ヒートロール３００は、通常の位置（図中破線で示す）から補助ローラ３０３よりも下方に下げ、転写紙１１０の搬送は補助ローラ３０３で行う。こうすることで第一ヒートロール３００の動作を停止させ、省エネを図ることも可能になる。
【００１４】
次に、両面印刷する時の動作を、図４を用いて説明する。図中矢印が転写紙１１０の搬送ルートとなる。像担持体１０１を帯電手段１００で帯電し、表面の画像信号を画像処理手段１０２で処理し、駆動手段及び走査手段１０３で走査されたレーザ光で露光し、像担持体１０１に潜像を形成する。現像手段１０４において像担持体１０１の潜像にトナーが現像される。一方給紙手段１０７から給紙された転写紙１１０は、定着手段１０６を通過する。このとき定着手段１０６で加熱を行い、転写紙１１０を収縮させる。そして転写手段１０５によりトナー像が転写紙１１０に転写され、転写紙１１０上に転写されたトナー像は定着手段１０６で再加熱され、片面の印刷が終了する。定着手段１０６から搬送された転写紙１１０は、スイッチバック手段１０９で搬送方向が排出手段１０８への方向から、定着手段１０６への方向に切り替わる。片面にトナー像が定着された転写紙１１０は、再度定着手段１０６へ搬送される。転写紙１１０はすでに十分に収縮、さらにはトナー像を表面に定着させるための加熱がされており、また裏面へトナー像を定着するためにさらに加熱するので、転写紙１１０への負荷を増やさないためにも、この時定着手段１０６は図３のように、第一ヒートロール３００の動作を停止させ、加熱をしないほうが好ましい。
【００１５】
続いて、像担持体１０１を帯電手段１００で帯電し、裏面の画像信号を画像処理手段１０２で処理し、駆動手段及び走査手段１０３で走査されたレーザ光で露光し、像担持体１０１に潜像を形成する。現像手段１０４において像担持体１０１の潜像にトナーが現像される。そして転写手段１０５によりトナー像が、転写紙１１０の定着されていない他方の面に転写され、転写紙１１０上に転写されたトナー像は定着手段１０６で再加熱され、排出手段１０８から排出される。
【００１６】
このような形態にして転写紙１１０給紙後にあらかじめ転写紙１１０を加熱して収縮させることで、両面印刷における転写紙１１０表面のトナー像加熱定着時の転写紙１１０の収縮をなくし、両面印刷における転写紙１１０表面／裏面の画像サイズを、高周波クロックやテーブルによる制御、パフォーマンスの低下を生じることなく揃えることができる。
【図面の簡単な説明】
【００１７】
【図１】本発明の実施例を示した説明図である。
【図２】本発明の片面印刷時の転写紙搬送ルートを示した説明図である。
【図３】本発明の転写手段を示した説明図である。
【図４】本発明の両面印刷時の転写紙搬送ルートを示した説明図である。
【符号の説明】
【００１８】
１００は帯電手段、１０１は像担持体、１０２は画像処理手段、１０３は駆動手段及び走査手段、１０４は現像手段、１０５は転写手段、１０６は定着手段、１０７は給紙手段、１０８は排出手段、１０９はスイッチバック手段、１１０は転写紙、３００は第一ヒートロール、３０１は第二ヒートロール、３０２はバックアップロール、３０３は補助ローラである。
【図１】
2007206506.tif 000003
【図２】
2007206506.tif 000004
【図３】
2007206506.tif 000005
【図４】
2007206506.tif 000006